(57)【要約】【課題】再利用可能で且つ使用し易く、しかも簡単な構造で破損しにくく、又、建築コストを安価にし得るようにした床貫通口形成用型枠を提供する。【解決手段】上方から下方へ向かって縮小されるように勾配の付された側板２，３を設け、側板２，３の表面には、プラスチック段ボール１０を貼設する。【選択図】図２
2005139652.tif 000002
【特許請求の範囲】
【請求項１】
上方から下方へ向かって絞られるようテーパが付され且つ周方向へは無端状の側板を備えたことを特徴とする床貫通口形成用型枠。
【請求項２】
下面の縁を残して上下面は開口されている請求項１記載の床貫通口形成用型枠。
【請求項３】
側板は金属板である請求項１又は２記載の床貫通口形成用型枠。
【請求項４】
側板の外周面には、摩擦係数が小さく且つ厚さ方向へ撓み易い板状部材を貼設した請求項１、２又は３記載の床貫通口形成用型枠。
【請求項５】
板状部材はプラスチック段ボールである請求項４記載の床貫通口形成用型枠。
【請求項６】
板状部材を貼設するのにマジックテープ（登録商標）を用いた請求項１、２、３、４又は５記載の床貫通口形成用型枠。
【請求項７】
上面の高さが、コンクリート打設後仕上げ床面のレベルよりも１００ｍｍ以上高く、上面開口から打設時にコンクリートが型枠内に入らないよう構成した請求項１、２、３、４、５又は６記載の床貫通口形成用型枠。
【請求項８】
水平断面形状が矩形状である請求項１、２、３、４、５、６又は７記載の床貫通口形成用型枠。
【請求項９】
側板から外方へ突出しないよう、側板上面にフランジを設け、フランジには把手を取付けた請求項１、２、３、４、５、６、７又は８記載の床貫通口形成用型枠。
【発明の詳細な説明】
【技術分野】
【０００１】
本発明は、鉄筋コンクリート造の床を形成するためにコンクリートを打設するに際し、コンクリート造の床に床貫通角形開口を形成するために用いる床貫通口形成用型枠に関するものである。
【背景技術】
【０００２】
一般事務所、店舗、病院等のビルには電気を供給するために電気ケーブルを配設する必要がある。そこで、建築中の鉄筋コンクリート造の床にコンクリートを打設する場合には、各階に電気ケーブルを配設するための配管やラックを設置すべく、床に床貫通角形開口を設ける必要がある。しかし、コンクリートを打設した後に床に床貫通角形開口を設けるのは困難であるため、コンクリート打設に際しては予め、床貫通角形開口を形成する必要があり、床にコンクリートを打設する際には、床貫通口形成用型枠を用いている。
【０００３】
従来の、床貫通角形開口形成用の型枠としては、例えば、直方体で箱状の木製、或は鋼板等の金属製の型枠がある。
【０００４】
而して、木製の型枠の場合には、複数の電気ケーブルを配設するためのラックが挿通される程度の大きさの床貫通角形開口が形成されるよう、４枚の長方形の板材を組付けることにより型枠が形成される。この木製の型枠は、床にコンクリートを打設する際にコンクリート床用仮枠組内において、ラックが通る所定の位置に配置されて釘打ち等により固定される。型枠の固定後、コンクリート床用仮枠組上にはコンクリートの打設が行われ、コンクリート固化の後、型枠は取外される。これにより、床貫通角形開口が形成される。取外された型枠は廃棄処分される。
【０００５】
又、金属製の型枠の場合には、コンクリート床用仮枠組上にネジ等により一般にスリーブと言われる矩形状の型枠を固定した後、コンクリートの打設が行われ、コンクリート固化の後は、型枠は撤去せずにそのまま開口枠として残している。
【０００６】
又、金属製の型枠の場合には、筒状で且つ上蓋を備えた型枠を、仮枠組の下面を区画する膜板と称される仮枠用底面パネルに釘止めにより固定し、コンクリート打設後も、型枠を取外すことなく、膜板のみを切断して開口を形成するようにしたものもある。
【０００７】
床貫通用開口の先行技術文献としては、例えば、特許文献１、２がある。特許文献１は、ＲＣ床版に設けられる仮設開口部を作るための合成樹脂製型枠ユニットに関するものであり、合成樹脂製の型枠と該型枠に取付けられる合成樹脂製の蓋板により構成されている。型枠は四つの側面を備え、該四つの側面は、上方から下方へ行くに従い、水平方向の辺の長さが短くなるよう、傾斜面で形成されている。
【０００８】
特許文献２は、鉄筋コンクリートの床にエアダクトや各種の配線を用途とする貫通口を設けるためのスリーブ型枠材に関するもので、スリーブ型枠材は、スリーブ本体と形状保持部材とを備え、スリーブ本体は複数の角材からなり、相互に隣接する角材同士を連結部により周方向へ無端状に連結して構成され、形状保持部材は、円筒状に形成されており、前記スリーブ本体に装着されたときには、スリーブ本体を円筒状に保持するようになっている。
【特許文献１】特開２００１−１７３２３０号公報
【特許文献２】特開２００２−２８５７０１号公報
【発明の開示】
【発明が解決しようとする課題】
【０００９】
従来の木製の型枠の場合は、コンクリートが固化された後取外す際に順次破壊され、再利用が不可能になる。このため、取外した型枠は廃棄処分をしなければならず、多量の廃棄物が生じ、資源の有効利用の観点からして好ましくない。又、最近の技能者の払底、特に型枠大工の不足のため、型枠を木製とするのは限界がある。
【００１０】
従来の金属製の型枠の場合は、コンクリート打設後に取外す必要がないので、取外しの手間が省ける利点があるが、多数の型枠が必要となるため、費用を要し、建築コスト全体の増大を招来するという問題がある。
【００１１】
特許文献１の合成樹脂製型枠ユニットの場合は、コンクリート打設の圧力に耐え得るよう、可撓性の少ない強度の高い樹脂を用いなければならない。しかるに、コンクリート打設時に所定時間が経過すると、コンクリートは乾燥、固化して収縮し、場合によっては型枠の周囲から固化して、型枠の外側から収縮による圧力が作用することがある。而して、型枠の可撓性が低い場合には、型枠は抜けなくなる虞がある。又、再利用時に型枠の外周を洗浄しても傷が付いていると、合成樹脂特有の表面の滑らかさが失われ、その結果、離型性が損なわれて固化したコンクリートから抜けなくなる虞がある。この場合には、型枠全体を廃棄しなればならず、資源の有効利用を図ることができない。更に、型枠を製作するために金型が必要であり、価格が高価となる。
【００１２】
特許文献２のスリーブ型枠材は、スリーブ本体の隣接する角材同士を係止片と係止凹部により無端状に連結すると共に、形状保持部材により円筒状に保持する構成となっているため、構造が複雑で且つ壊れ易く、部品を紛失し易い。又、構造上小さな開口には適しているが、強度上アスペクト値の大きい長方形には不適当である。
【００１３】
本発明は、上述の実情に鑑み、再利用可能で且つ使用し易く、しかも簡単な構造で破損しにくく、又、建築コストを安価にし得るようにした床貫通口形成用型枠を提供することを目的としてなしたものである。
【課題を解決するための手段】
【００１４】
請求項１の床貫通口形成用型枠は、上方から下方へ向かって絞られるようテーパが付され且つ周方向へは無端状の側板を備えたものである。請求項２の床貫通口形成用型枠においては、下面の縁を残して上下面は開口されており、請求項３の床貫通口形成用型枠においては、側板は金属板であり、請求項４の床貫通口形成用型枠においては、側板の外周面には、摩擦係数が小さく且つ厚さ方向へ撓み易い板状部材が貼設されている。又請求項５の床貫通口形成用型枠においては、板状部材はプラスチック段ボールであり、請求項６の床貫通口形成用型枠においては、板状部材を貼設するのにマジックテープ（登録商標）を用いており、請求項７の床貫通口形成用型枠においては、上面の高さが、コンクリート打設後仕上げ床面のレベルよりも１００ｍｍ以上高く、上面開口から打設時にコンクリートが型枠内に入らないよう構成されており、請求項８の床貫通口形成用型枠においては、水平断面形状は矩形状であり、請求項９の床貫通口形成用型枠においては、側板から外方へ突出しないよう、側板上面にフランジを設け、フランジには把手を取付けてある。
【発明の効果】
【００１５】
本発明の請求項１〜９記載の床貫通口形成用型枠は、固化したコンクリート床から容易に撤去することができるため、取扱い容易で使用し易く、又、床貫通口形成用型枠は破損し難いため容易に次の床貫通口の作製のために再利用することができ、更に、プラスチック段ボールが破損した場合には、プラスチック段ボールを側板から剥がして新たなプラスチック段ボールを貼設すれば良いため、構造及び取扱いが簡単で、価格が安価であり、建築コストを押えることができ、更に又、床貫通口形成用型枠内にはコンクリートが溜まることがない、等種々の優れた効果を奏し得る。
【発明を実施するための最良の形態】
【００１６】
以下、本発明の実施の形態を図示例と共に説明する。
図１〜図４は本発明を実施する形態の一例である。図中、１は床貫通口形成用型枠であり、床貫通口形成用型枠１は水平断面形状が矩形状で、且つ下端が短辺で上端が長辺の逆台形状に形成されている。すなわち、床貫通口形成用型枠１は周囲の四つの面を形成する各２枚の側板２，３を備えており、側板２，２、側板３，３は対向配置され、側板２と側板３とは隣接配置されて全体で角筒状となるよう、組付けられている。
【００１７】
側板２，３の上下端には、内側に突出するよう平面視で額縁状のフランジ４，５がリブとして機能し得るよう、固設されており、フランジ４の上面には把手６が取付けられている。又、フランジ５にはネジ孔７が設けられており、ネジ孔７に挿通させたネジ８をコンパネ或はデッキプレート等のコンクリート床用仮枠組９に螺合させることにより、床貫通口形成用型枠１をコンクリート床用仮枠組９に固定させるようになっている。
【００１８】
図２〜図４に示すように、側板２，３の外周面には、いわゆるプラスチック段ボール１０が、例えば、両面テープ等により貼設されている。プラスチック段ボール１０は、例えばポリプロピレン製で、その断面形状はハーモニカの吹き口に類似の形状になっており、軽くて摩擦係数が小さく、しかも衝撃に強く、更に厚み方向へ撓み得るようになっている。図中、１１はフランジ４に形成された上面開口、１２はフランジ５に形成された下面開口、１３はコンクリート床用仮枠組９に打設されたコンクリート、１４は鉄筋である。
【００１９】
而して、床貫通口形成用型枠１の側板２の下端の辺の長さはＸ、上端の辺の長さはＸ＋α、側板３の下端の辺の長さはＹ、上端の辺の長さはＹ＋β、高さはＺである。
【００２０】
コンクリート床に配管やラックを設置するため床貫通角形開口を設ける場合には、コンクリート床用仮枠組９の所定位置に床貫通口形成用型枠１を設置して、ネジ８をフランジ５のネジ孔７に挿通させてコンクリート床用仮枠組９に螺合させる。このため、床貫通口形成用型枠１はコンクリート床用仮枠組９に固定される。
【００２１】
床貫通口形成用型枠１をコンクリート床用仮枠組９に固定したら、鉄筋１４が配設されているコンクリート床用仮枠組９上にコンクリート１３を、床貫通口形成用型枠１の高さ方向中間位置となる所定の高さまで打設し、コンクリート１３が固化したら、ネジ８を取外し、把手６を持って上方へ引張ることにより、床貫通口形成用型枠１をコンクリート１３から撤去する。従って、コンクリート床用仮枠組９を取外すか、又はコンクリート床用仮枠組９がデッキプレートの場合、下面開口１２が固定されていた箇所分のコンクリート床用仮枠組９を切断、撤去すれば、床貫通口が形成される。
【００２２】
本図示例によれば、床貫通口形成用型枠１の側板２，３は下端の辺が短辺で、上端の辺が長辺であり、全体として逆台形状に形成されており、しかも側板２，３にはプラスチック段ボール１０が貼設してあるため、床貫通口形成用型枠１のコンクリート１３との接触面の摩擦係数が小さく、又、プラスチック段ボール１０はコンクリート１３の圧力により容易に撓む。このため、床貫通口形成用型枠１は、固化したコンクリート１３から容易に撤去することができ、取扱いが容易である。
【００２３】
又、床貫通口形成用型枠１は破損し難いため容易に次の床貫通口の作製のために再利用することができる。
【００２４】
コンクリート１３の打設時に上面開口１１から床貫通口形成用型枠１内にコンクリートが入っても、床貫通口形成用型枠１底部には下面開口１２が形成されており、コンクリートが床貫通口形成用型枠１内に溜まることがない。このため、床貫通口形成用型枠１内にコンクリートが入っても、その撤去には何等支障が生じない。又、コンクリート打設の際には、フランジ４の上面を簡易な蓋で覆っても良い。更に、この床貫通口形成用型枠１は、再利用することから、コンクリート打設、乾燥後撤去するものである。そのため、高さＺを、打設するコンクリートがないぶに流込む可能性のない十分な高さ（床仕上面から１００ｍｍ以上）に製作しておき、その高さで打設コンクリートを仕切ることができる。
【００２５】
プラスチック段ボール１０が破損した場合には、プラスチック段ボール１０を側板２，３から剥がして新たなプラスチック段ボール１０を貼設する。このため、側板２，３に、例えば鈎状のある側のマジックテープ（登録商標）を予め貼着しておくと共に、プラスチック段ボール１０側にループ状フックのあるマジックテープを貼着しておき、プラスチック段ボール１０を側板２，３にマジックテープを介して貼設した場合には、側板２，３側の接着剤のけれんをせずに、損傷したプラスチック段ボール１０を手で剥がし、新たなプラスチック段ボール１０を容易に側板２，３に貼設することができる。
【００２６】
更に、本図示例の床貫通口形成用型枠１は構造が簡単で、価格が安価であり、建築コストを押えることができる。
【００２７】
なお、本発明の床貫通口形成用型枠は、水平断面形状を矩形状にする場合について説明したが、矩形状に限らず、多角形状、円形状、楕円形状としても実施できること、その他、本発明の要旨を逸脱しない範囲内において種々変更を加え得ること、等は勿論である。
【図面の簡単な説明】
【００２８】
【図１】本発明の床貫通口形成用型枠の実施の形態の一例を示す斜視図である。
【図２】プラスチック段ボールを貼設した状態で示す図１のＩＩ−ＩＩ方向矢視図である。
【図３】プラスチック段ボールの断面を示す拡大図である。
【図４】図２に示す床貫通口形成用型枠を一部を破断して示す斜視図である。
【符号の説明】
【００２９】
１  床貫通口形成用型枠
２  側板
３  側板
４  フランジ
６  把手
１０  プラスチック段ボール（板状部材）
１１  上面開口（開口）
１２  下面開口（開口）
【図１】
2005139652.tif 000003
【図２】
2005139652.tif 000004
【図３】
2005139652.tif 000005
【図４】
2005139652.tif 000006